(57)【要約】【課題】高い止血効果が得られ、しかも内視鏡の観察視野を遮らずに高い安全性の下で使用することができる内視鏡用嘴状高周波止血鉗子を提供すること。【解決手段】嘴状に開閉する一対の嘴状電極３を先端に有する内視鏡用嘴状高周波止血鉗子において、一対の嘴状電極３を各々、あい対向する面全体が噛み合わせ面３ａになる非カップ状に形成する。なお、各嘴状電極３の背部３ｂを先側へ漸次窄まったテーパ状に形成し、各嘴状電極３の側面部分３ｃも先側へ漸次窄まったテーパ状に形成してもよい。【選択図】      図１
2005261514.tif 000002
【特許請求の範囲】
【請求項１】
嘴状に開閉する一対の嘴状電極を先端に有する内視鏡用嘴状高周波止血鉗子において、
上記一対の嘴状電極を各々、あい対向する面全体が噛み合わせ面になる非カップ状に形成したことを特徴とする内視鏡用嘴状高周波止血鉗子。
【請求項２】
上記一対の嘴状電極の噛み合わせ面が、側方から見て山と谷が噛み合う波形に形成されている請求項１記載の内視鏡用嘴状高周波止血鉗子。
【請求項３】
上記各嘴状電極の背部が先側へ漸次窄まったテーパ状に形成されている請求項１又は２記載の内視鏡用嘴状高周波止血鉗子。
【請求項４】
上記各嘴状電極の側面部分も先側へ漸次窄まったテーパ状に形成されている請求項３記載の内視鏡用嘴状高周波止血鉗子。
【発明の詳細な説明】
【技術分野】
【０００１】
この発明は内視鏡用嘴状高周波止血鉗子に関する。
【背景技術】
【０００２】
内視鏡用嘴状高周波止血鉗子は一般に、嘴状に開閉する一対の嘴状電極を先端に有しており、そのような嘴状電極は各々、断面形状が円形のステンレス棒材を切削して鉗子カップ状に形成されている（例えば、特許文献１）。
【特許文献１】特開平１０−１５５７９８
【発明の開示】
【発明が解決しようとする課題】
【０００３】
しかし、上述のような従来の内視鏡用嘴状高周波止血鉗子は、各嘴状電極が鉗子カップ状に形成されていることにより、粘膜組織に接触する鉗子カップの縁部分において高周波電流の電流密度が非常に大きくなるため、切開効果が生じて止血効果が低くなってしまう場合がある。
【０００４】
また、嘴状電極の外面が鉗子カップ状にこんもりとした形状なので、内視鏡観察画面中においては、図６に示されるように、嘴状電極３０によって観察視野が大きく遮られてしまう欠点がある。
【０００５】
そこで本発明は、高い止血効果が得られ、しかも内視鏡の観察視野を遮らずに高い安全性の下で使用することができる内視鏡用嘴状高周波止血鉗子を提供することを目的とする。
【課題を解決するための手段】
【０００６】
上記の目的を達成するため、本発明の内視鏡用嘴状高周波止血鉗子は、嘴状に開閉する一対の嘴状電極を先端に有する内視鏡用嘴状高周波止血鉗子において、一対の嘴状電極を各々、あい対向する面全体が噛み合わせ面になる非カップ状に形成したものであり、その場合に、一対の嘴状電極の噛み合わせ面が、側方から見て山と谷が噛み合う波形に形成されていてもよい。
【０００７】
なお、各嘴状電極の背部が先側へ漸次窄まったテーパ状に形成されているとよく、各嘴状電極の側面部分も先側へ漸次窄まったテーパ状に形成されていてもよい。
【発明の効果】
【０００８】
本発明によれば、一対の嘴状電極を各々、あい対向する面全体が噛み合わせ面になる非カップ状に形成したことにより、粘膜組織等を挟み込んで高周波電流を通電した時に高周波電流の電流密度が大きくならないので、切開効果が発生せず優れた止血効果を得ることができ、各嘴状電極の背部を先側へ漸次窄まったテーパ状に形成することにより、内視鏡の観察視野を遮らずに高い安全性の下で使用することができる。
【発明を実施するための最良の形態】
【０００９】
嘴状に開閉する一対の嘴状電極を先端に有する内視鏡用嘴状高周波止血鉗子において、一対の嘴状電極を各々、あい対向する面全体が噛み合わせ面になる非カップ状に形成すると共に、各嘴状電極の背部を、先側へ漸次窄まったテーパ状に形成する。
【実施例】
【００１０】
図面を参照して本発明の実施例を説明する。
図１は内視鏡用嘴状高周波止血鉗子の先端付近を示しており、図示されていない内視鏡の処置具挿通チャンネルに挿脱される可撓性シース１は、ステンレス鋼線製の密着巻きコイルパイプ１ａの外周に電気絶縁性チューブ１ｂを被覆して形成されている。
【００１１】
可撓性シース１の先端に連結された先端本体２の最先端部には、一対の嘴状電極３が支軸４を中心に開閉するように軸支されて、嘴状電極３を嘴状に開閉駆動するためのリンク機構５が、先端本体２に形成されたスリット２ａ内に配置されている。
【００１２】
リンク機構５の後端部分には、可撓性シース１内に軸線方向に進退自在に挿通配置されたステンレス鋼線製の操作ワイヤ６の先端が連結されていて、可撓性シース１の基端に連結されている操作部（図示せず）で操作ワイヤ６を進退操作することにより嘴状電極３を嘴状に開閉させることができ、また、操作ワイヤ６を経由して操作部側から嘴状電極３に高周波電流を通電することができる。
【００１３】
一対の嘴状電極３は、その単体の斜視図、側面図及び平面図である図２、図３及び図４にも示されるように、嘴状に閉じた際にあい対向する面全体が噛み合わせ面３ａになる非カップ状に形成されている。
【００１４】
その結果、一対の嘴状電極３で粘膜組織等を挟み込んで高周波電流を通電した時に、高周波電流の電流密度が大きくならないので、切開効果が発生せず優れた止血効果を得ることができる。
【００１５】
この実施例の噛み合わせ面３ａは側方から見て９０°程度の角度の角波形状に形成されていて、その角波形の先端どうしがぶつかり合うのではなく、一対の嘴状電極３において山と谷が噛み合うように形成してある。
【００１６】
それによって、一対の嘴状電極３の双方の噛み合わせ面３ａの間が広い面積においてほぼ均一な隙間になり、そのような一対の嘴状電極３の間に粘膜組織を挟み込むと、角波形状の噛み合わせ面３ａがほぼ全面で粘膜組織に接触する。
【００１７】
その結果、噛み合わせ面３ａが平面である場合より高周波電流の電流密度が小さくなって、より優れた止血効果が得られる。なお、角波形の角度は９０°以外であってもよく、或いはサインカーブ等のような曲線的な波形により山と谷が噛み合うように構成しても差し支えない。
【００１８】
また、各嘴状電極３の背部３ｂは、先側へ漸次窄まったテーパ状に形成されている。その結果、内視鏡観察画面中においては、図５に示されるように、嘴状電極３によって観察視野が大きく遮られず、良好な視界が得られるので、高い安全性の下で止血処置を行うことができる。なお、図５には、比較のために従来の嘴状電極３０を二点鎖線で示してある。
【００１９】
また、この実施例においては、各嘴状電極３の側面部分３ｃも、先側へ漸次窄まったテーパ状に形成されている。その結果、背部３ｂの形状とも合わせて嘴状電極３の外表面における接触面積が小さくなり、粘膜組織に対する熱的悪影響を小さくすることができる。
【００２０】
嘴状電極３の支軸４と係合する軸孔３ｄより後方部分には、リンク機構５の一部を構成するアーム部３ｅが延出形成されている。ただし、この部分の形状等はどのようにしても差し支えない。
【図面の簡単な説明】
【００２１】
【図１】本発明の実施例の内視鏡用嘴状高周波止血鉗子の先端付近の側面断面図である。
【図２】本発明の実施例の嘴状電極の単体の斜視図である。
【図３】本発明の実施例の嘴状電極の単体の側面図である。
【図４】本発明の実施例の嘴状電極の単体の平面図である。
【図５】本発明の実施例の内視鏡用嘴状高周波止血鉗子の内視鏡観察画像を示す略示図である。
【図６】従来の内視鏡用嘴状高周波止血鉗子の内視鏡観察画像を示す略示図である。
【符号の説明】
【００２２】
１  可撓性シース
３  嘴状電極
３ａ  噛み合わせ面
３ｂ  背部
３ｃ  側面部分
【図１】
2005261514.tif 000003
【図２】
2005261514.tif 000004
【図３】
2005261514.tif 000005
【図４】
2005261514.tif 000006
【図５】
2005261514.tif 000007
【図６】
2005261514.tif 000008